(57)【要約】【課題】サブフレームでは、ＵＥが２つ以上のＰＤＣＣＨを検出し、そして各ＰＤＣＣＨが首尾良くデコードされた場合には、ＵＥは、ＰＤＳＣＨがそのＵＥを行先としなくても、各ＰＤＳＣＨを更に受信しなければならない。これは、ＵＥに混乱を生じさせ、ＵＥの能力及び処理努力に費用がかかることになる。このような問題を解決するものである。【解決手段】種々の通信システムは、制御チャンネルリソースの適切な使用から利益が得られる。例えば、第３世代パートナーシッププロジェクトの長期進化に関連したある通信システムは、ページングメッセージカバレージエンハンスメントのための物理的ダウンリンク制御チャンネル送信の改善から利益が得られる。方法は、ユーザ装置においてカバレージエンハンスメントページングパラメータを得ることを含む。又、この方法は、そのページングパラメータに基づいてページングフレーム又はページング機会をユーザ装置により計算することも含む。【選択図】図５
2018078659.tif 000002
【特許請求の範囲】
【請求項１】
ユーザ装置において又はユーザ装置に対してカバレージエンハンスメントページングパラメータを得；及び
前記ページングパラメータに基づいてページングフレーム又はページング機会をベースステーション又はユーザ装置により計算する；
ことを含む方法。
【請求項２】
ユーザ装置に対する繰り返しレベルを移動管理エンティティに指示することを更に含み、前記得られたページングパラメータは、前記繰り返しレベルに基づく、請求項１に記載の方法。
【請求項３】
前記ユーザ装置の繰り返しレベルは、ユーザ装置がアイドルモードへ移行するときに前記移動管理エンティティへ搬送される、請求項２に記載の方法。
【請求項４】
前記ページングパラメータは、そのページングパラメータが、（Ｔ*１０／Ｎ）より小さなｎＢの入手可能な値にセットされるように導出される、請求項１から３のいずれかに記載の方法。
【請求項５】
前記ページングパラメータは、ＣＥ−ｎＢを含む、請求項１から４のいずれかに記載の方法。
【請求項６】
カバレージエンハンスメントモードで使用するためにカバレージエンハンスメントページング無線ネットワーク一時的識別子をユーザ装置において決定し；及び
前記カバレージエンハンスメントページング無線ネットワーク一時的識別子に基づいて物理的ダウンリンク制御チャンネルをデコードする；
ことを含む方法。
【請求項７】
前記カバレージエンハンスメントページング無線ネットワーク一時的識別子は、複数のカバレージエンハンスメントページング無線ネットワーク一時的識別子のうちの１つであり、そして前記カバレージエンハンスメントページング無線ネットワーク一時的識別子は、ユーザ装置において記憶された繰り返しレベルに基づいて導出される、請求項６に記載の方法。
【請求項８】
前記カバレージエンハンスメントページング無線ネットワーク一時的識別子は、ベースステーションにより構成される、請求項６に記載の方法。
【請求項９】
ページングがカバレージエンハンスメントモードにおいてユーザ装置に対するものであるかどうか決定し；及び
前記決定に基づきページングがカバレージエンハンスメントモードにおいてユーザ装置に対するものであることをページングメッセージで指示する；
ことを含む方法。
【請求項１０】
ユーザ装置に対する繰り返しレベルの指示を受信し；及び
移動管理エンティティにより、その受信された繰り返しレベルを進化型ノードＢへ送信する；
ことを更に含む、請求項９に記載の方法。
【請求項１１】
前記ユーザ装置の繰り返しレベルは、ユーザ装置がアイドルモードへ移行するとき移動管理エンティティへ搬送される、請求項１０に記載の方法。
【請求項１２】
少なくとも１つのプロセッサ；及び
コンピュータプログラムコードを含む少なくとも１つのメモリ；
を備えた装置において、少なくとも１つのメモリ及びコンピュータプログラムコードは、少なくとも１つのプロセッサとで、装置が、少なくとも、
ユーザ装置において又はユーザ装置に対してカバレージエンハンスメントページングパラメータを得；及び
前記ページングパラメータに基づいてページングフレーム又はページング機会をベースステーション又はユーザ装置により計算する；
ように構成された装置。
【請求項１３】
少なくとも１つのメモリ及びコンピュータプログラムコードは、少なくとも１つのプロセッサとで、装置が、少なくとも、ユーザ装置に対する繰り返しレベルを移動管理エンティティに指示するように構成され、前記得られたページングパラメータは、前記繰り返しレベルに基づく、請求項１２に記載の装置。
【請求項１４】
前記ユーザ装置の繰り返しレベルは、ユーザ装置がアイドルモードへ移行するときに前記移動管理エンティティへ搬送される、請求項１３に記載の装置。
【請求項１５】
少なくとも１つのメモリ及びコンピュータプログラムコードは、少なくとも１つのプロセッサとで、装置が、少なくとも、ページングパラメータが、（Ｔ*１０／Ｎ）より小さなｎＢの入手可能な値にセットされるようにページングパラメータを導出するように構成される、請求項１２から１４のいずれかに記載の装置。
【請求項１６】
前記ページングパラメータは、ＣＥ−ｎＢを含む、請求項１２から１５のいずれかに記載の装置。
【請求項１７】
少なくとも１つのプロセッサ；及び
コンピュータプログラムコードを含む少なくとも１つのメモリ；
を備えた装置において、少なくとも１つのメモリ及びコンピュータプログラムコードは、少なくとも１つのプロセッサとで、装置が、少なくとも、
カバレージエンハンスメントモードで使用するためにカバレージエンハンスメントページング無線ネットワーク一時的識別子をユーザ装置において決定し；及び
前記カバレージエンハンスメントページング無線ネットワーク一時的識別子に基づいて物理的ダウンリンク制御チャンネルをデコードする；
ように構成された装置。
【請求項１８】
前記カバレージエンハンスメントページング無線ネットワーク一時的識別子は、複数のカバレージエンハンスメントページング無線ネットワーク一時的識別子のうちの１つであり、そして前記カバレージエンハンスメントページング無線ネットワーク一時的識別子は、ユーザ装置において記憶された繰り返しレベルに基づいて導出される、請求項１７に記載の装置。
【請求項１９】
前記カバレージエンハンスメントページング無線ネットワーク一時的識別子は、ベースステーションにより構成される、請求項１７に記載の装置。
【請求項２０】
少なくとも１つのプロセッサ；及び
コンピュータプログラムコードを含む少なくとも１つのメモリ；
を備えた装置において、少なくとも１つのメモリ及びコンピュータプログラムコードは、少なくとも１つのプロセッサとで、装置が、少なくとも、
ページングがカバレージエンハンスメントモードにおいてユーザ装置に対するものであるかどうか決定し；及び
前記決定に基づきページングがカバレージエンハンスメントモードにおいてユーザ装置に対するものであることをページングメッセージで指示する；
ように構成された装置。
【請求項２１】
少なくとも１つのメモリ及びコンピュータプログラムコードは、少なくとも１つのプロセッサとで、装置が、少なくとも、
ユーザ装置に対する繰り返しレベルの指示を受信し；及び
移動管理エンティティにより、その受信された繰り返しレベルを進化型ノードＢへ送信する；
ように構成される、請求項２０に記載の装置。
【請求項２２】
前記ユーザ装置の繰り返しレベルは、ユーザ装置がアイドルモードへ移行するとき移動管理エンティティへ搬送される、請求項２１に記載の装置。
【請求項２３】
ハードウェアで実行されるときに、
ユーザ装置において又はユーザ装置に対してカバレージエンハンスメントページングパラメータを得；及び
前記ページングパラメータに基づいてページングフレーム又はページング機会をベースステーション又はユーザ装置により計算する；
ことを含むプロセスを遂行するインストラクションでエンコードされた非一時的コンピュータ読み取り可能な媒体。
【請求項２４】
前記プロセスは、更に、ユーザ装置に対する繰り返しレベルを移動管理エンティティに指示することを更に含み、前記得られたページングパラメータは、前記繰り返しレベルに基づく、請求項２３に記載の非一時的コンピュータ読み取り可能な媒体。
【請求項２５】
ハードウェアで実行されるときに、
ページングがカバレージエンハンスメントモードにおいてユーザ装置に対するものであるかどうか決定し；及び
前記決定に基づきページングがカバレージエンハンスメントモードにおいてユーザ装置に対するものであることをページングメッセージで指示する；
ことを含むプロセスを遂行するインストラクションでエンコードされた非一時的コンピュータ読み取り可能な媒体。
【請求項２６】
前記プロセスは、更に、
ユーザ装置に対する繰り返しレベルの指示を受信し、前記決定は、その繰り返しレベルに基づくものであり；及び
移動管理エンティティにより、その受信された繰り返しレベルを進化型ノードＢへ送信する；
ことを更に含む、請求項２５に記載の非一時的コンピュータ読み取り可能な媒体。
【発明の詳細な説明】
【技術分野】
【０００１】
種々の通信システムは、制御チャンネルリソースを適切に使用することから利益が得られる。例えば、第３世代パートナーシッププロジェクトの長期進化に関連したある通信システムは、ページングメッセージカバレージエンハンスメントのための物理的ダウンリンク制御チャンネル送信の改善から利益が得られる。
【背景技術】
【０００２】
参考としてここにそのまま援用する第３世代パートナーシッププロジェクト（３ＧＰＰ）ＲＰ−１３０８４８は、長期進化（ＬＴＥ）に新規のマシン形式通信（ＭＴＣ）動作を許して、既存のＬＴＥネットワークに比してエンハンス型のカバレージも許すことを述べている。そのような新規のＭＴＣ動作は、複雑さの低いユーザ装置（ＵＥ）、及び各公称カバレージに関して遅延許容ＭＴＣアプリケーションを動作する他のＵＥのための周波数分割デュープレックス（ＦＤＤ）に対し１５ｄＢに対応する相対的ＬＴＥカバレージ改善を与えることを目的としている。その繰り返しが、カバレージを改善する方法として指定される。
【０００３】
既存のページング手順では、進化型ノードＢ（ｅＮＢ）は、ページングメッセージ送信を適当な送信時間間隔（ＴＴＩ）でスケジュールし、そしてそのスケジュールされた物理的ダウンリンク共有チャンネル（ＰＤＳＣＨ）リソースを物理的ダウンリンク制御チャンネル（ＰＤＣＣＨ）においてページング無線ネットワーク一時的指示子（Ｐ−ＲＮＴＩ）で指示することができねばならない。１５ｄＢカバレージ改善を得るために、ＰＤＣＣＨは、多数の繰り返しを必要とする。その結果、同じサブフレーム内の異なるＵＥに対してＰＤＣＣＨ衝突が生じ得る。
【０００４】
図１は、カバレージエンハンス型ユーザ装置に到達するためのＰＤＣＣＨ繰り返しを示す。図１に示すように、ＰＤＣＣＨは、カバレージエンハンス型ＵＥ（ＣＥ−ＵＥ）に到達するために２０回再送信される必要がある。この例には、３つのＵＥが示されており、即ちカバレージエンハンスメントを必要としそしてＰ−ＲＮＴＩを伴うＰＤＣＣＨに対してサブフレーム＃４を監視するＵＥ＃１；カバレージエンハンスメントもＰＤＣＣＨ繰り返しも必要とせずそしてＰ−ＲＮＴＩを伴うＰＤＣＣＨに対してサブフレーム＃５を監視するＵＥ＃２；及びカバレージエンハンスメントを必要としそしてＰ−ＲＮＴＩを伴うＰＤＣＣＨに対してサブフレーム＃９を監視するＵＥ＃３である。
【０００５】
ＵＥ＃１のためのＰ−ＲＮＴＩを伴う第１のＰＤＣＣＨは、フレーム＃１においてサブフレーム＃４で送信され、そしてグレイで示す後続サブフレームにおいて２０回繰り返される。ＵＥ＃２のためのＰＤＣＣＨは、フレーム＃１のサブフレーム＃５で送信される。ＵＥ＃３のためのＰ−ＲＮＴＩを伴う第１のＰＤＣＣＨは、フレーム＃１においてサブフレーム＃９で送信され、そしてグレイで示す後続サブフレームにおいて２０回繰り返される。
【０００６】
この場合、フレーム＃１のサブフレーム＃５、及びスラッシュ線で埋められた全てのサブフレーム、例えば、ＵＥ＃１のＰＤＣＣＨ繰り返しとＵＥ＃２の元のＰＤＣＣＨ送信との間に衝突が起きるフレーム＃１のサブフレーム＃５、ＵＥ＃１のＰＤＣＣＨ繰り返しとＵＥ＃３の元のＰＤＣＣＨ送信との間に衝突が起きるフレーム＃１のサブフレーム＃９、及びＵＥ＃１とＵＥ＃３との間にＰＤＣＣＨ繰り返しが起きるフレーム＃２のサブフレーム＃０には、２つのＰＤＣＣＨ指示が生じる。
【発明の概要】
【発明が解決しようとする課題】
【０００７】
これらのサブフレームでは、ＵＥが２つ以上のＰＤＣＣＨを検出し、そして各ＰＤＣＣＨが首尾良くデコードされた場合には、ＵＥは、ＰＤＳＣＨがそのＵＥを行先としなくても、各ＰＤＳＣＨを更に受信しなければならない。これは、ＵＥに混乱を生じさせ、ＵＥの能力及び処理努力に費用がかかることになる。
【課題を解決するための手段】
【０００８】
ある実施形態による方法は、ユーザ装置においてカバレージエンハンスメントページングパラメータを得ることを含む。又、この方法は、そのページングパラメータに基づいてページングフレーム又はページング機会(paging occasion)をユーザ装置により計算することも含む。
【０００９】
ある実施形態による方法は、カバレージエンハンスメントモードで使用するためにカバレージエンハンスメントページング無線ネットワーク一時的識別子をユーザ装置において受信することを含む。又、この方法は、カバレージエンハンスメントページング無線ネットワーク一時的識別子に基づいて物理的ダウンリンク制御チャンネルをデコードすることも含む。
【００１０】
ある実施形態における方法は、ページングがカバレージエンハンスメントモードにおいてユーザ装置に対するものであるかどうか決定することを含む。又、この方法は、その決定に基づきページングがカバレージエンハンスメントモードにおいてユーザ装置に対するものであることをページングメッセージで指示することを含む。
【００１１】
ある実施形態による装置は、少なくとも１つのプロセッサ；及びコンピュータプログラムコードを含む少なくとも１つのメモリ；を備えている。少なくとも１つのメモリ及びコンピュータプログラムコードは、少なくとも１つのプロセッサとで、装置が、少なくとも、ユーザ装置においてカバレージエンハンスメントページングパラメータを得るように構成される。又、少なくとも１つのメモリ及びコンピュータプログラムコードは、少なくとも１つのプロセッサとで、装置が、少なくとも、そのページングパラメータに基づいてページングフレーム又はページング機会をユーザ装置により計算するように構成される。
【００１２】
ある実施形態における装置は、少なくとも１つのプロセッサ；及びコンピュータプログラムコードを含む少なくとも１つのメモリ；を備えている。少なくとも１つのメモリ及びコンピュータプログラムコードは、少なくとも１つのプロセッサとで、装置が、少なくとも、カバレージエンハンスメントモードで使用するためにカバレージエンハンスメントページング無線ネットワーク一時的識別子をユーザ装置において受信するように構成される。又、少なくとも１つのメモリ及びコンピュータプログラムコードは、少なくとも１つのプロセッサとで、装置が、少なくとも、カバレージエンハンスメントページング無線ネットワーク一時的識別子に基づいて物理的ダウンリンク制御チャンネルをデコードするように構成される。
【００１３】
ある実施形態における装置は、少なくとも１つのプロセッサ；及びコンピュータプログラムコードを含む少なくとも１つのメモリ；を備えている。少なくとも１つのメモリ及びコンピュータプログラムコードは、少なくとも１つのプロセッサとで、装置が、少なくとも、ページングがカバレージエンハンスメントモードにおいてユーザ装置に対するものであるかどうか決定するように構成される。又、少なくとも１つのメモリ及びコンピュータプログラムコードは、少なくとも１つのプロセッサとで、装置が、少なくとも、その決定に基づきページングがカバレージエンハンスメントモードにおいてユーザ装置に対するものであることをページングメッセージで指示するように構成される。
【００１４】
ある実施形態によれば、非一時的コンピュータ読み取り可能な媒体は、ハードウェアで実行されたときにプロセスを遂行するインストラクションでエンコードされる。このプロセスは、ユーザ装置においてカバレージエンハンスメントページングパラメータを得ることを含む。又、このプロセスは、そのページングパラメータに基づいてページングフレーム又はページング機会をユーザ装置により計算することを含む。
【００１５】
ある実施形態において、非一時的コンピュータ読み取り可能な媒体は、ハードウェアで実行されたときにプロセスを遂行するインストラクションでエンコードされる。このプロセスは、ページングがカバレージエンハンスメントモードにおいてユーザ装置に対するものであるかどうか決定することを含む。又、このプロセスは、その決定に基づきページングがカバレージエンハンスメントモードにおいてユーザ装置に対するものであることをページングメッセージで指示することを含む。
【００１６】
ある実施形態によるコンピュータプログラム製品は、プロセスを遂行するためのインストラクションをエンコードする。このプロセスは、ユーザ装置においてカバレージエンハンスメントページングパラメータを得ることを含む。又、このプロセスは、そのページングパラメータに基づいてページングフレーム又はページング機会をユーザ装置により計算することを含む。
【００１７】
ある実施形態におけるコンピュータプログラム製品は、プロセスを遂行するためのインストラクションをエンコードする。このプロセスは、ページングがカバレージエンハンスメントモードにおいてユーザ装置に対するものであるかどうか決定することを含む。又、このプロセスは、その決定に基づきページングがカバレージエンハンスメントモードにおいてユーザ装置に対するものであることをページングメッセージで指示することを含む。
【００１８】
本発明を適切に理解するために、添付図面を参照する。
【図面の簡単な説明】
【００１９】
【図１】カバレージエンハンス型ユーザ装置に到達するためのＰＤＣＣＨの繰り返しを示す。
【図２】３ＧＰＰ  ＴＳ  ３６．３３１に基づくＰＣＣＨ−Ｃｏｎｆｉｇを示す。
【図３】ある実施形態によるＰＤＣＣＨ送信の手順を示す。
【図４】ある実施形態による１つのセルにおける複数繰り返しレベルの可能性を示す。
【図５】ある実施形態による方法を示す。
【図６】ある実施形態によるシステムを示す。
【発明を実施するための形態】
【００２０】
マシンタイプ通信（ＭＴＣ）の場合、ＵＥのためのエンハンス型カバレージモードは、１５から２０ｄＢの改善を与えることが計画される。この１５から２０ｄＢの改善を達成するために、ＰＤＣＣＨにおいてスケジュールされたリソースの多数の繰り返しが遂行され、衝突を招くことがある。ある実施形態では、カバレージエンハンスメントモードにあるＵＥに対して個別のカバレージエンハンスメントｎＢが定義され、ここからＵＥがそれらのページング機会を計算できるようにするメカニズムが提供される。又、ある実施形態では、エンハンス型カバレージモードＵＥに対するＰＤＣＣＨをアドレスするために個別のカバレージエンハンスメントＰ−ＲＮＴＩも提供される。カバレージエンハンスメントモードにないＵＥとのＰＤＣＣＨオーバーラップの場合には、カバレージエンハンスメントモードｎＢは、ＰＤＣＣＨに衝突が生じないように、例えば、低密度のページング機会を保持するのに使用される。
【００２１】
ある実施形態では、カバレージエンハンスメントモードにあるＵＥに対して個別のＣＥ−ｎＢが定義され、これは、要求された繰り返し数に基づいて決定することができる。更に、ある実施形態では、カバレージエンハンス型ＵＥは、現在仕様に広告されているｎＢではなく、ＣＥ−ｎＢに基づいて、ＵＥのページングフレーム／ページング機会を計算することができる。ある実施形態によれば、ＭＭＥは、ページングがＣＥモードにあるＵＥに対するものであるかどうかをページングメッセージにおいてｅＮＢに指示することができる。
【００２２】
もし入手できれば、ＵＥに対する繰り返しレベルも指示される。この情報は、例えば、固定のＵＥに対して入手されてもよい。ＵＥの繰り返しレベルは、ＵＥがアイドルモードに移行するときにＭＭＥへ搬送される。ページングメッセージにおけるページングレコードは、同じ繰り返しレベルでＣＥモードにおいてＵＥをアドレスする。
【００２３】
ある実施形態では、カバレージエンハンスメントモードにあるＵＥに対して個別のカバレージエンハンスメントページング無線ネットワーク一時的識別子（ＣＥ−Ｐ−ＲＮＴＩ）が定義される。例えば、各ＵＥの繰り返しレベルをＭＭＥが知っている場合には、繰り返しレベルごとに複数のＣＥ−Ｐ−ＲＮＴＩを定義することができる。
【００２４】
ｅＮＢは、ＰＤＣＣＨを送信するためにページングメッセージにおける繰り返しレベルに基づいてＣＥ−Ｐ−ＲＮＴＩを動的に導出することができる。ＵＥは、ＵＥの繰り返しレベルに対応するＣＥ−Ｐ−ＲＮＴＩによりＰＤＣＣＨをデコードすることができる。
【００２５】
カバレージエンハンスメントモードにあるＵＥに対して望ましいページング機会（ＰＯ）／ページングフレーム（ＰＦ）計算を適用することができる。現在ｎＢとのＰＤＣＣＨ重畳がある場合には、ＣＥ−ＵＥに対して個別のカバレージエンハンス型ｎＢ（ＣＥ−ｎＢ）を適用して、カバレージエンハンスメントモードにあるＵＥに対して低密度のＰＯを保持し、それにより、例えば、単一サブフレーム内にＰＤＣＣＨ（再）送信の衝突がないように確保することができる。ＣＥ−ｎＢの値は、例えば、ＰＤＣＣＨの繰り返し数、例えば、ＰＤＣＣＨを何回送信すべきか、に基づいて決定することができる。例えば、要求された繰り返し数をＮとし、ページングサイクルをＴとすれば、ＣＥ−ｎＢは、図２に示すように、３ＧＰＰ  ３６．３３１で定義されたＰＣＣＨ−Ｃｏｎｆｉｇに基づき、ｎＢ＞（Ｔ*１０／Ｎ）の場合に、（Ｔ*１０／Ｎ）より小さい入手可能な値の１つにセットすることができる。
【００２６】
例えば、ＰＤＣＣＨの繰り返し数が１２０である場合には、ＵＥに対するＣＥ−ｎＢをｏｎｅＳｉｘｔｅｅｎｔｈＴ又はｏｎｅＴｈｉｒｔｙＳｅｃｏｎｄＴにセットすることができ、一方、通常のＵＥの場合には、ＰＯ導出に使用されるｎＢを不変に維持することができる。ある実施形態では、ＣＥ−ｎＢ＜Ｔ*１０／Ｎを満足する最も近い値を選択することができる。
【００２７】
加えて、ＣＥ−ｎＢに基づく次の式：Ｎｓ＝ｍａｘ（１、ＣＥ−ｎＢ／Ｔ）から、カバレージエンハンスメントにおけるＵＥに対してＮｓパラメータを更新することができる。
【００２８】
従って、カバレージエンハンスメントモードにあるＵＥに対してＮｓの値は常に１である。というのは、ＰＤＣＣＨ送信の要求される繰り返し数が１０より大きいからである。従って、ページングフレームにおいてページングに利用できるサブフレームは１つだけである。サブフレームは、参考としてここにそのまま援用される３ＧＰＰ技術仕様書（ＴＳ）３６．２０４ｖ１２．０．０“User Equipment(UE) procedures in idle mode”に定義されたサブフレームパターンに基づき、ＦＤＤの場合はサブフレーム＃９であり、そしてＴＤＤの場合はサブフレーム＃０である。
【００２９】
カバレージエンハンスメントモードにあるＵＥは、例えば、３ＧＰＰ  ＴＳ  ３６．３０４の式から導出される元のＰＯにおける不連続受信（ＤＲＸ）サイクルごとに依然ウェイクアップして、ＣＥ−Ｐ−ＲＮＴＩを伴うＰＤＣＣＨチャンネルを監視すると共に、ＣＥ−Ｐ−ＲＮＴＩで示されたＰＤＣＣＨ繰り返しを、連続サブフレームから、要求された全ての数のＰＤＣＣＨを受信するか又はＰＤＣＣＨを首尾良くデコードできるまで、受信し続けることができる。ＣＥ−Ｐ−ＲＮＴＩは、ＰＤＣＣＨ送信を通常のＵＥとＣＥモードのＵＥとの間で区別するための新たな形式のＲＮＴＩである。
【００３０】
図３は、ある実施形態によるＰＤＣＣＨ送信の手順を示す。この特定例では、要求される繰り返し数は、ＣＥ−ｎＢ計算式：ＣＥ−ｎＢ＝Ｔ／２に基づき、２０となる。この例では、３つのＵＥがあり、即ちカバレージエンハンスメントを必要とし且つＣＥ−ｎＢを使用してＣＥ−Ｐ−ＲＮＴＩを伴うＰＤＣＣＨに対してサブフレーム＃９を監視するＵＥ＃１；カバレージエンハンスメントを必要とせず、ＰＤＣＣＨ繰り返しをもたず且つ通常ｎＢを使用してＰ−ＲＮＴＩを伴うＰＤＣＣＨに対してサブフレーム＃４を監視するＵＥ＃２；及びカバレージエンハンスメントを必要とし且つ（ＣＥ−ｎＢを使用して）ＣＥ−Ｐ−ＲＮＴＩを伴うＰＤＣＣＨに対してサブフレーム＃９を監視するＵＥ＃３である。
【００３１】
ＵＥ＃１に対するＣＥ−Ｐ−ＲＮＴＩを伴う第１のＰＤＣＣＨは、この例では、フレーム＃１のサブフレーム＃９において送信され、そしてグレイで示された後続サブフレームにおいてＣＥ−Ｐ−ＲＮＴＩで示されて１９回繰り返される。ＵＥ＃２に対するＰＤＣＣＨは、この例では、フレーム＃２のサブフレーム＃４において送信される。ＵＥ＃３に対するＣＥ−Ｐ−ＲＮＴＩを伴う第１のＰＤＣＣＨは、この例では、フレーム＃３のサブフレーム＃９において送信され、そしてＰＤＣＣＨは、グレイで示された後続サブフレームにおいてＣＥ−Ｐ−ＲＮＴＩで示されて１９回繰り返される。
【００３２】
この例では、１つのサブフレームに、Ｐ−ＲＮＴＩ又はＣＥ−Ｐ−ＲＮＴＩのいずれかで示された単一のＰＤＣＣＨがあるだけである。例えば、フレーム＃２のサブフレーム＃４には、ＵＥ＃１に対するＣＥ−Ｐ−ＲＮＴＩで示されたＰＤＣＣＨ繰り返しと、ＵＥ＃２に対するＰ−ＲＮＴＩを伴うＰＤＣＣＨがある。この例では、任意のサブフレームにおいてＣＥ−Ｐ−ＲＮＴＩで示されたＰＤＣＣＨ繰り返しに対し繰り返し衝突は生じない。
【００３３】
図４は、ある実施形態による１つのセルにおける複数の繰り返しレベルの可能性を示す。図４に示すように、１つのセルに複数の繰り返しレベルがあり、そしてこの場合には、ＰＤＣＣＨの重畳が生じ得る。例えば、ＵＥ＃１の場合、繰り返し数は２０であり、ＣＥ−ｎＢ＝1/2 Ｔであり、そしてこの例では、ＵＥ＃２の場合、繰り返し数は１０であり、ＣＥ−ｎＢ＝Ｔである。従って、この例では、フレーム＃３におけるＰＤＣＣＨ繰り返しに対して依然重畳がある。
【００３４】
そのような結果を回避する１つの解決策は、ＵＥの繰り返しレベルに基づき、ＣＥ−Ｐ−ＲＮＴＩに対して異なる値を指定することである。繰り返しレベルは、ＵＥが接続モードからアイドルモードへ移行するときに、ＵＥにより、例えば、ＭＭＥへ移行され、次いで、ページングメッセージにおいてＭＭＥからｅＮＢへ指示される。或いは又、繰り返しレベルは、ＵＥが接続モードからアイドルモードへ移行するときに、ｅＮＢからＭＭＥへ移行され、次いで、ページングメッセージにおいてＭＭＥからｅＮＢへ指示される。ｅＮＢは、ページングのためのＰＤＣＣＨを送信するためにＵＥのＣＥ−Ｐ−ＲＮＴＩを導出することができる。
【００３５】
図４に示すものと同じ例では、フレーム＃３でも、２つのＰＤＣＣＨがあるとき、ＵＥは、その専用のＣＥ−Ｐ−ＲＮＴＩにより正しいＰＤＣＣＨを見つけることができる。というのは、それらの繰り返しレベルが異なるからである。従って、この解決策は、各ＵＥが単一サブフレーム内で専用ＰＤＣＣＨを得ることを保証することができる。
【００３６】
図５は、ある実施形態による方法を示す。この方法は、５１０において、カバレージエンハンスメントページングパラメータＣＥ−ｎＢをユーザ装置で得ることを含む。ＣＥ−ｎＢは、ユーザ装置がカバレージエンハンスメントモードにあるときだけ使用するように構成される。
【００３７】
又、この方法は、５２０において、ＣＥ−ｎＢに基づきページングフレーム又はページング機会をユーザ装置により計算することも含む。
【００３８】
更に、この方法は、５０５において、ユーザ装置に対する繰り返しレベルを、後で使用するために移動管理エンティティに指示することを含む。得られたＣＥ−ｎＢは、ＵＥに記憶された繰り返しレベルに基づくものである。ユーザ装置の繰り返しレベルは、ユーザ装置がアイドルモードへ移行するときに移動管理エンティティへ搬送される。
【００３９】
ユーザ装置は、カバレージエンハンスメントモードで使用するためにＣＥ−Ｐ−ＲＮＴＩを導出することができる。この方法は、更に、５３０において、ＣＥ−Ｐ−ＲＮＴＩに基づいて物理的ダウンリンク制御チャンネルをデコードすることを含む。ＣＥ−Ｐ−ＲＮＴＩは、複数のＣＥ−Ｐ−ＲＮＴＩのうちの１つであり、記憶された繰り返しレベルに基づいて導出することができる。
【００４０】
ブロック５０５、５１０及び５２０は、ＵＥに適用できることに関して上述したが、これらのブロックは、ｅＮＢの振舞いも指す。例えば、この方法は、５０５において、ｅＮＢからＭＭＥへ繰り返しレベルを指示することを含む。又、この方法は、５６０において、ＭＭＥから繰り返しレベルを含むページングメッセージを受信することも含む。更に、この方法は、５１０において、繰り返しレベルに基づきＣＥ−ｎＢを得ることも含む。加えて、この方法は、５２０において、ＣＥ−ｎＢに基づきＰＦ／ＰＯを計算することも含む。更に、５３５において、この方法は、各ＣＥ−ｎＢに基づき計算されたＰＦ／ＰＯにおいてＣＥ−Ｐ−ＲＮＴＩによりアドレスされたページングメッセージを送信することも含む。ＣＥ−Ｐ−ＲＮＴＩは、複数のＣＥ−Ｐ−ＲＮＴＩのうちの１つであり、記憶された繰り返しレベルに基づいて導出される。
【００４１】
又、この方法は、５４０において、例えば、ＭＭＥにより、ページングがカバレージエンハンスメントモードにおいてユーザ装置に対するものであるかどうか決定することも含む。又、この方法は、５５０において、その決定に基づきページングがカバレージエンハンスメントモードにおいてユーザ装置に対するものであることをページングメッセージで指示することも含む。
【００４２】
更に、この方法は、５６０において、ユーザ装置に対する繰り返しレベルの指示を受信する（上述したように、ＭＭＥにより、又はｅＮＢによりＭＭＥから）ことも含み、ここで、決定及び／又は取得は、繰り返しレベルに基づく。ユーザ装置の繰り返しレベルは、上述したように、ユーザ装置がアイドルモードへ移行するときに、移動管理エンティティに搬送される。従って、この方法は、５７０において、ＭＭＥからｅＮＢへ繰り返しレベルの指示を送信することも含む。
【００４３】
図６は、本発明のある実施形態によるシステムを示す。１つの実施形態では、システムは、例えば、少なくとも１つのＵＥ６１０、少なくとも１つのｅＮＢ６２０又は他のベースステーション又はアクセスポイント、及び少なくとも１つのＭＭＥ６３０のような複数の装置を備えている。あるシステムでは、ＵＥ６１０、ｅＮＢ６２０、ＭＭＥ６３０並びに複数の他のユーザ装置及びＭＭＥが存在する。ｅＮＢのような複数のベースステーションを伴うものを含めて、他の構成も考えられる。ＵＥ６１０は、セルラー及びＤ２Ｄ通信の両方のために装備される。
【００４４】
これら装置の各々は、６１４、６２４及び６３４で各々示された少なくとも１つのプロセッサを備えている。少なくとも１つのメモリは、各装置において、６１５、６２５及び６３５で各々示すように設けられる。メモリには、コンピュータプログラムインストラクション又はコンピュータコードが含まれる。プロセッサ６１４、６２４及び６３４並びにメモリ６１５、６２５及び６３５、又はそのサブセットは、図３から５の種々のブロックに対応する手段をなすように構成される。図示されていないが、装置は、装置の位置を決定するのに使用されるグローバルポジショニングシステム（ＧＰＳ）又はマイクロエレクトリカルメカニカルシステム（ＭＥＭＳ）のようなポジショニングハードウェアも備えている。バロメータ、コンパス、等の他のセンサも許され、そして位置、高度、方向、等を決定するために含まれる。
【００４５】
図６に示すように、トランシーバ６１６、６２６及び６３６が設けられ、そして各装置は、６１７、６２７及び６３７として各々示す少なくとも１つのアンテナも備えている。この装置は、他入力多出力（ＭＩＭＯ）通信のために構成されたアンテナのアレイ、又は複数の無線アクセス技術のための複数のアンテナのような多数のアンテナを有する。例えば、これらの装置の他の構成も設けられる。例えば、ｅＮＢ６２０及びＭＭＥ６３０は、ワイヤード通信のために付加的に又は単独で構成されてもよく、そしてそのような場合に、アンテナ６２７、６３７は、従来のアンテナを必要としない任意の形態の通信ハードウェアも示す。
【００４６】
トランシーバ６１６、６２６及び６３６は、各々、独立したもので、送信器、受信器、又は送受信器、或いは送信及び受信の両方に構成されたユニット又は装置である。
【００４７】
プロセッサ６１４、６２４及び６３４は、中央処理ユニット（ＣＰＵ）、特定用途向け集積回路（ＡＳＩＣ）又は同等の装置のような計算又はデータ処理装置によって実施される。プロセッサは、単一のコントローラとして又は複数のコントローラ又はプロセッサとして実施される。
【００４８】
メモリ６１５、６２５及び６３５は、独立したもので、非一時的コンピュータ読み取り可能な媒体のような適当な記憶装置である。ハードディスクドライブ（ＨＤＤ）、ランダムアクセスメモリ（ＲＡＭ）、フラッシュメモリ、又は他の適当なメモリが使用される。メモリは、単一の集積回路においてプロセッサと結合されてもよいし、又は１つ以上のプロセッサとは個別のものでもよい。更に、メモリに記憶されてプロセッサにより処理されるコンピュータプログラムインストラクションは、適当な形態のコンピュータプログラムコード、例えば、適当なプログラミング言語で書かれたコンパイル又はインタープリタ型コンピュータプログラムである。
【００４９】
メモリ及びコンピュータプログラムインストラクションは、特定の装置に対するプロセッサで、ＵＥ６１０、ｅＮＢ６２０及びＭＭＥ６３０のようなハードウェア装置が、前記プロセスのいずれかを遂行するように構成される（例えば、図３から５を参照）。それ故、ある実施形態では、非一時的コンピュータ読み取り可能な媒体は、ハードウェアで実行されるときに、ここに述べるプロセスの１つのようなプロセスを遂行するコンピュータインストラクションでエンコードされる。或いは又、ある実施形態は、完全にハードウェアで遂行されてもよい。
【００５０】
更に、図６は、ＵＥ、ｅＮＢ及びＭＭＥを含むシステムを示しているが、本発明の実施形態は、他の構成、及び付加的な要素を含む構成に適用されてもよい。
【００５１】
当業者であれば、上述した本発明は、異なる順序のステップで、及び／又はここに開示したものとは異なる構成のハードウェア要素で、実施されてもよいことが容易に理解されよう。それ故、本発明は、それらの実施形態に基づいて説明したが、当業者であれば、本発明の精神及び範囲内で、幾つかの変更、修正及び代替的構造が明らかとなろう。それ故、本発明の範囲を決定するためには、特許請求の範囲を参照されたい。
【００５２】
略語
ＡＳ：アクセス層
ＣＮ：コアネットワーク
ＤＬ：ダウンリンク
ＭＭＥ：移動管理エンティティ
ＭＯ：モバイル発信
ＭＴＣ：マシンタイプ通信
ＮＡＳ：非アクセス層
ＲＡＮ：無線アクセスネットワーク
ＲＲＣ：無線リソースコントロール
ＵＥ：ユーザ装置
ＵＬ：アップリンク
ＴＡＵ：トラッキングエリア更新
【符号の説明】
【００５３】
６１０：ＵＥ
６２０：ｅＮＢ
６３０：ＭＭＥ
６１４、６２４、６３４：プロセッサ
６１５、６２５、６３５：メモリ
６１６、６２６、６３６：トランシーバ
６１７、６２７、６３７：アンテナ
【図１】
2018078659.tif 000003
【図２】
2018078659.tif 000004
【図３】
2018078659.tif 000005
【図４】
2018078659.tif 000006
【図５】
2018078659.tif 000007
【図６】
2018078659.tif 000008
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
カバレージエンハンスメントモードで使用するためにカバレージエンハンスメントページング無線ネットワーク一時的識別子をユーザ装置において決定し；及び
前記カバレージエンハンスメントページング無線ネットワーク一時的識別子に基づいて物理的ダウンリンク制御チャンネルをデコードする；
ことを含む方法。
【請求項２】
前記カバレージエンハンスメントページング無線ネットワーク一時的識別子は、複数のカバレージエンハンスメントページング無線ネットワーク一時的識別子のうちの１つであり、そして前記カバレージエンハンスメントページング無線ネットワーク一時的識別子は、ユーザ装置において記憶された繰り返しレベルに基づいて導出される、請求項１に記載の方法。
【請求項３】
前記カバレージエンハンスメントページング無線ネットワーク一時的識別子は、ベースステーションにより構成される、請求項１に記載の方法。
【請求項４】
ページングがカバレージエンハンスメントモードにおいてユーザ装置に対するものであるかどうか決定し；及び
前記決定に基づきページングがカバレージエンハンスメントモードにおいてユーザ装置に対するものであることをページングメッセージで指示する；
ことを含む方法。
【請求項５】
ユーザ装置に対する繰り返しレベルの指示を受信し；及び
移動管理エンティティにより、その受信された繰り返しレベルを進化型ノードＢへ送信する；
ことを更に含む、請求項４に記載の方法。
【請求項６】
前記ユーザ装置の繰り返しレベルは、ユーザ装置がアイドルモードへ移行するとき移動管理エンティティへ搬送される、請求項５に記載の方法。
【請求項７】
少なくとも１つのプロセッサ；及び
コンピュータプログラムコードを含む少なくとも１つのメモリ；
を備えた装置において、少なくとも１つのメモリ及びコンピュータプログラムコードは、少なくとも１つのプロセッサとで、装置が、少なくとも、
カバレージエンハンスメントモードで使用するためにカバレージエンハンスメントページング無線ネットワーク一時的識別子をユーザ装置において決定し；及び
前記カバレージエンハンスメントページング無線ネットワーク一時的識別子に基づいて物理的ダウンリンク制御チャンネルをデコードする；
ように構成された装置。
【請求項８】
前記カバレージエンハンスメントページング無線ネットワーク一時的識別子は、複数のカバレージエンハンスメントページング無線ネットワーク一時的識別子のうちの１つであり、そして前記カバレージエンハンスメントページング無線ネットワーク一時的識別子は、ユーザ装置において記憶された繰り返しレベルに基づいて導出される、請求項７に記載の装置。
【請求項９】
前記カバレージエンハンスメントページング無線ネットワーク一時的識別子は、ベースステーションにより構成される、請求項７に記載の装置。
【請求項１０】
少なくとも１つのプロセッサ；及び
コンピュータプログラムコードを含む少なくとも１つのメモリ；
を備えた装置において、少なくとも１つのメモリ及びコンピュータプログラムコードは、少なくとも１つのプロセッサとで、装置が、少なくとも、
ページングがカバレージエンハンスメントモードにおいてユーザ装置に対するものであるかどうか決定し；及び
前記決定に基づきページングがカバレージエンハンスメントモードにおいてユーザ装置に対するものであることをページングメッセージで指示する；
ように構成された装置。
【請求項１１】
少なくとも１つのメモリ及びコンピュータプログラムコードは、少なくとも１つのプロセッサとで、装置が、少なくとも、
ユーザ装置に対する繰り返しレベルの指示を受信し；及び
移動管理エンティティにより、その受信された繰り返しレベルを進化型ノードＢへ送信する；
ように構成される、請求項１０に記載の装置。
【請求項１２】
前記ユーザ装置の繰り返しレベルは、ユーザ装置がアイドルモードへ移行するとき移動管理エンティティへ搬送される、請求項１１に記載の装置。
【請求項１３】
ハードウェアで実行されるときに、
ページングがカバレージエンハンスメントモードにおいてユーザ装置に対するものであるかどうか決定し；及び
前記決定に基づきページングがカバレージエンハンスメントモードにおいてユーザ装置に対するものであることをページングメッセージで指示する；
ことを含むプロセスを遂行するインストラクションでエンコードされた非一時的コンピュータ読み取り可能な媒体。
【請求項１４】
前記プロセスは、更に、
ユーザ装置に対する繰り返しレベルの指示を受信し、前記決定は、その繰り返しレベルに基づくものであり；及び
移動管理エンティティにより、その受信された繰り返しレベルを進化型ノードＢへ送信する；
ことを更に含む、請求項１３に記載の非一時的コンピュータ読み取り可能な媒体。